(57)【要約】【課題】本発明は光ファイバーの接続が２箇所で、容易に短時間に行なうことができるとともに、クロージャーや光屋外キャビネットが不要で、低コストで配線することができる光ファイバーの宅内への配線を得るにある。【解決手段】宅内に設置された接着剤方式あるいはメカニカル方式等のスプライスを使用する光ローゼットと、この光ローゼットに一端部が接続され他端部が屋外に設置されているクロージャーに接続された光ファイバーコード、この光ファイバーコードの両側部に所定間隔離間されて配置されたＦＲＰ等の張力に対する補強が可能な合成樹脂材製の抗張力体、この抗張力体および光ファイバーコードの外周部を覆うシースとからなる光ファイバーケーブル本体と、この光ファイバーケーブル本体の宅内に位置する部位を除くシースの一方の側面に外周部に連結部を介して一体形成されたメタル製の支持線を覆う支持線用シースとからなる光ファイバーケーブルとで光ファイバーの宅内への配線を構成している。【選択図】  図１
2004219611.tif 000002
【特許請求の範囲】
【請求項１】
宅内に設置された接着剤方式あるいはメカニカル方式等のスプライスを使用する光ローゼットと、この光ローゼットに一端部が接続され、他端部が屋外に設置されている光ファイバー幹線ケーブルより分岐されたクロージャーに接続された光ファイバーコード、この光ファイバーコードの両側部に所定間隔離間されて配置されたＦＲＰ等の張力に対する補強が可能な合成樹脂材製の抗張力体、この抗張力体および前記光ファイバーコードの外周部を覆うシースとからなる光ファイバーケーブル本体と、この光ファイバーケーブル本体の前記宅内に位置する部位を除く前記シースの一方の側面に外周部に連結部を介して一体形成されたメタル製の支持線を覆う支持線用シースとからなる光ファイバーケーブルとからなることを特徴とする光ファイバーの宅内への配線。
【請求項２】
宅内に設置された接着剤方式あるいはメカニカル方式等のスプライスを使用する光ローゼットと、この光ローゼットに一端部が接続され、他端部が屋外に設置されている光ファイバー幹線ケーブルより分岐されたクロージャーに接続された光ファイバーコード、この光ファイバーコードの両側部に所定間隔離間されて配置されたＦＲＰ等の張力に対する補強が可能な合成樹脂材製の抗張力体、この抗張力体および前記光ファイバーコードの外周部を覆うシースとからなる光ファイバーケーブル本体と、この光ファイバーケーブル本体の前記宅内に位置する部位を除く前記シースの一方の側面に外周部に連結部を介して一体形成されたメタル製の支持線を覆う支持線用シースと、光ファイバーケーブルの他端部である前記クロージャー側の支持線を該クロージャーに固定する他方の固定具と、前記光ファイバーケーブルの一端部である宅内側の支持線を、建物の躯体等に固定する一方の固定具とからなることを特徴とする光ファイバーの宅内への配線。
【請求項３】
宅内に設置された融着接続あるいはコネクタ接続される光ローゼットと、この光ローゼットに一端部が接続され、他端部が屋外に設置されている光ファイバー幹線ケーブルより分岐されたクロージャーに接続された光ファイバーコード、この光ファイバーコードの両側部に所定間隔離間されて配置されたＦＲＰ等の張力に対する補強が可能な合成樹脂材製の抗張力体、この抗張力体および前記光ファイバーコードの外周部を覆うシースとからなる光ファイバーケーブル本体と、この光ファイバーケーブル本体の前記宅内に位置する部位を除く前記シースの一方の側面に外周部に連結部を介して一体形成されたメタル製の支持線を覆う支持線用シースとからなる光ファイバーケーブルとからなることを特徴とする光ファイバーの宅内への配線。
【発明の詳細な説明】
【０００１】
【発明の属する技術分野】
本発明は屋外に設置されている光ファイバー幹線ケーブルより分岐されたクロージャーと宅内の光ローゼットの間に配線される光ファイバーの宅内への配線に関する。
【０００２】
【従来の技術】
従来の光ファイバーの宅内への配線は図１４に示すように、屋外のクロージャー１と宅内の光ローゼット２間には光ファイバー幹線ケーブル３側にクロージャー４を設置するとともに、建物５の躯体等の外側面６に光屋外キャビネット７を設置し、クロージャー１とクロージャー４とを架空集合ドロップ８で接続、クロージャー４と光屋外キャビネット７とを架空ドロップ９で接続した後、光屋外キャビネット７と光ローゼット２とを引込み光ケーブル１０で接続している。
【０００３】
【発明が解決しようとする課題】
従来の光ファイバーの宅内への配線は、架空集合ドロップ８、クロージャー４、架空ドロップ９、光屋外キャビネット７、引込み光ケーブル１０を用いて行なっているため、光ファイバーの接続箇所が６箇所となり、その作業が大変であるとともに、複数個の部品や架空ドロップ等を用いるため、コスト高になるという欠点があった。
【０００４】
本発明は以上のような従来の欠点に鑑み、光ファイバーの接続が２箇所で、容易に短時間に行なうことができるとともに、クロージャーや光屋外キャビネットが不要で、低コストで配線することができる光ファイバーの宅内への配線を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は宅内に設置された接着剤方式あるいはメカニカル方式等のスプライスを使用する光ローゼットと、この光ローゼットに一端部が接続され、他端部が屋外に設置されている光ファイバー幹線ケーブルより分岐されたクロージャーに接続された光ファイバーコード、この光ファイバーコードの両側部に所定間隔離間されて配置されたＦＲＰ等の張力に対する補強が可能な合成樹脂材製の抗張力体、この抗張力体および前記光ファイバーコードの外周部を覆うシースとからなる光ファイバーケーブル本体と、この光ファイバーケーブル本体の前記宅内に位置する部位を除く前記シースの一方の側面に外周部に連結部を介して一体形成されたメタル製の支持線を覆う支持線用シースとからなる光ファイバーケーブルとで光ファイバーの宅内への配線を構成している。
【０００７】
【発明の実施の形態】
以下、図面に示す実施の形態により、本発明を詳細に説明する。
【０００８】
図１ないし図１０に示す本発明の第１の実施の形態において、１１は一端部が宅内１２に設置された光ローゼット１３に接続され、他端部が屋外に設置された光ファイバー幹線ケーブル１４より分岐された光ファイバーに接続されたクロージャー１５に接続される本発明の光ファイバーの宅内への配線で、この光ファイバーの宅内への配線１１は光ファイバーケーブル１６が使用される。
このため、クロージャー１５側から宅内側への配線は勿論、従来行われていない宅内側からクロージャー１５側への配線も可能となる。
【０００９】
前記光ファイバーケーブル１６は図２ないし図４に示すように光ファイバーコード１７、この光ファイバーコード１７の両側部に所定間隔離間されて配置された、Ｇ−ＦＲＰ、Ｋ−ＦＲＰ等の張力に対する補強が可能な合成樹脂材製の抗張力体１８、１８、この合成樹脂材製の抗張力体１８、１８および前記光ファイバーコード１７の外周部を覆う熱可塑性樹脂材を用いた、ほぼ中央部の上下部に切り裂き用のＶ字状の切り裂き凹部１９、１９を有するシース２０とからなるノンメタ構造の光ファイバーケーブル本体２１と、この光ファイバーケーブル本体２１のシース２０の一方の側面の外周部に、連結部２２を介して一体形成された鋼線を用いた支持線２３を覆う支持用シース２４とで構成されている。
【００１０】
前記光ファイバーコード１７は従来と同様に、図５に示すように光ファイバー心線２５と、この光ファイバー心線２５の外周部を覆う高張力繊維２６と、この高張力繊維２６の外周部を覆う難燃性ポリエチレン等を用いた難燃シース２７とで構成されている。
【００１１】
上記構成の光ファイバーケーブル１６は宅内１２に配線される長さ寸法分だけ連結部２２を切断し、支持用シース２４で覆われた支持線２３を切断除去する。しかる後、図６に示すように切断した端部の支持線２３を建物２８の外壁面等の躯体２９等に一方の固定具３０を用いて固定するとともに、支持線２３が除去された部位のノンメタ構造の光ファイバーケーブル本体２１を宅内１２の光ローゼット１３まで配線し、光ファイバーケーブル本体２１の端部の切り裂き凹部１９、１９を切り裂き、光ファイバーコード１７を表面に出し、該光ファイバーコード１７の光ファイバー心線２５を、図７および図８に示すように接着剤方式のスプライス３１を用いて光ローゼット１３に接続することにより、光ファイバーの宅内への配線１が完了する。
【００１２】
一方の固定具３０に固定された屋外の光ファイバーケーブル１６は、図９および図１０に示すように光ファイバー幹線ケーブル１４にラッシングロットや柱３２に係止金具等の係止具３３で係止されながら配線され、他端部の支持用シース２４で覆われた支持線２３はクロージャー１５に他方の固定具３４によって固定するとともに、光ファイバーコード１７の光ファイバー心線２５をクロージャー１５に接続する。
なお、前記一方の固定具３０やクロージャー１５の他方の固定具３４は図示したもの以外で、従来から一般に使用されている支持線２３を固定することがでるものであればどんな構造のものであっても良い。
また、本発明の実施の形態では光ファイバー幹線ケーブル１４をラッシングロットや柱３２に係止金具等の係止具３３で係止させるものに付いて説明したが、本発明はこれに限らず、従来から一般に行われている係止手段や係止具を用いても良い。
【００１３】
【発明の異なる実施の形態】
次に、図１１ないし図１３に示す本発明の異なる実施の形態につき説明する。なお、この本発明の異なる実施の形態の説明に当って、前記本発明の第１の実施の形態と同一構成部分には同一符号を付して重複する説明を省略する。
【００１４】
図１１ないし図１３に示す本発明の第２の実施の形態において、前記本発明の第１の実施の形態と主に異なる点は、クロージャー１５の他方の固定具３４と建物２８の外壁面等の躯体２９等に固定された一方の固定具３０とに光ファイバーケーブル１６の支持用シース２４で覆われた支持線２３の両端部を取付けた点で、このような光ファイバーの宅内への配線１１Ａを行なっても、同様な作用効果が得られる。
【００１５】
なお、前記本発明の各実施の形態では接着剤方式のスプライス３１を用いて、光ファイバーコード１７の光ファイバー心線２５を光ローゼット１３に接続するものに付いて説明したが、本発明はこれに限らず、メカニカル方式等の現在一般に使用されているスプライスを用いて接続してもよい。
また、接着剤方式あるいはメカニカル方式等のスプライスを使用する光ローゼット以外に融着接続あるいはコネクタ接続される光ローゼットを用いても良い。
【００１６】
【発明の効果】
以上の説明から明らかなように、本発明にあっては次に列挙する効果が得られる。
【００１７】
（１）宅内に設置された接着剤方式あるいはメカニカル方式等のスプライスを使用する光ローゼットと、この光ローゼットに一端部が接続され、他端部が屋外に設置されている光ファイバー幹線ケーブルより分岐されたクロージャーに接続された光ファイバーコード、この光ファイバーコードの両側部に所定間隔離間されて配置されたＦＲＰ等の張力に対する補強が可能な合成樹脂材製の抗張力体、この抗張力体および前記光ファイバーコードの外周部を覆うシースとからなる光ファイバーケーブル本体と、この光ファイバーケーブル本体の前記宅内に位置する部位を除く前記シースの一方の側面に外周部に連結部を介して一体形成されたメタル製の支持線を覆う支持線用シースとからなる光ファイバーケーブルとで構成されているので、宅内の光ローゼットと屋外の光ファイバー幹線ケーブルより分岐されたクロージャーとの間を１本の光ファイバーケーブルで接続することができる。
したがって、従来のように架空集合ドロップ、クロージャー、架空ドロップ、光屋外キャビネットを使用しないので、設置作業が容易で、低コストで行なうことができるとともに、クロージャー側から宅内側への配線は勿論、従来行われていない宅内側からクロージャー側への配線も可能となる。
【００１８】
（２）前記（１）によって光ファイバーケーブルの宅内に位置する部位にはメタル製の支持線が配置されないので、従来と同様な配線状態にすることができる。
【００１９】
（３）前記（１）によって、光ファイバーケーブルの宅内に配置される光ファイバーケーブル本体と、一体形成されたメタル製の支持線を覆う支持用シース部分は連結部を切断して、支持用シースで覆われた支持線を切断除去することができる。
したがって、不要部分の支持用シースで覆われた支持線の除去作業が容易で、楽に行なうことができる。
【００２０】
（４）請求項２も前記（１）〜（３）と同様な効果が得られる。
【図面の簡単な説明】
【図１】本発明の第１の実施の形態の概略説明図。
【図２】本発明の第１の実施の形態の光ファイバーケーブルの平面図。
【図３】本発明の第１の実施の形態の光ファイバーケーブルの側面図。
【図４】図２の４−４線に沿う拡大断面図。
【図５】本発明の第１の実施の形態の光ファイバーコードの説明図。
【図６】本発明の第１の実施の形態の一方の固定具の取付け状態の説明図。
【図７】本発明の第１の実施の形態の光ローゼットへの接続説明図。
【図８】本発明の第１の実施の形態の光ローゼットでの接続状態の説明図。
【図９】本発明の第１の実施の形態の柱への係止状態の説明図。
【図１０】本発明の第１の実施の形態の他方の固定具への取付け状態の説明図。
【図１１】本発明の第２の実施の形態の概略説明図。
【図１２】本発明の第２の実施の形態の一方の固定具の取付け状態の説明図。
【図１３】本発明の第２の実施の形態の他方の固定具への取付け状態の説明図。
【図１４】従来の配線の概略説明図。
【符号の説明】
１１、１１Ａ：光ファイバーの宅内への配線、
１２：宅内、            １３：光ローゼット、
１４：光ファイバー幹線ケーブル、
１５：クロージャー、
１６：光ファイバーケーブル、
１７：光ファイバーコード、
１８：抗張力体、        １９：切り裂き凹部、
２０：シース、
２１：光ファイバーケーブル本体、
２２：連結部、          ２３：支持線、
２４：支持用シース、    ２５：光ファイバー心線、
２６：高張力繊維、      ２７：難燃シース、
２８：建物、            ２９：躯体、
３０：一方の固定具、    ３１：スプライス、
３２：柱、              ３３：係止具、
３４：他方の固定具。
【図１】
2004219611.tif 000003
【図２】
2004219611.tif 000004
【図３】
2004219611.tif 000005
【図４】
2004219611.tif 000006
【図５】
2004219611.tif 000007
【図６】
2004219611.tif 000008
【図７】
2004219611.tif 000009
【図８】
2004219611.tif 000010
【図９】
2004219611.tif 000011
【図１０】
2004219611.tif 000012
【図１１】
2004219611.tif 000013
【図１２】
2004219611.tif 000014
【図１３】
2004219611.tif 000015
【図１４】
2004219611.tif 000016